(57)【特許請求の範囲】
【請求項１】
長手方向を有する複数のけい光ランプを具えるとともに、複数の副反射器を有する反射器を具えている、ディスプレイ装置用のバックライト照明装置において、
前記複数の副反射器のうち少なくとも一部の副反射器に少なくとも２つのけい光ランプの一部分が設けられ、前記複数のけい光ランプのうち少なくとも一部のけい光ランプが少なくとも２つの副反射器内に位置していることを特徴とするバックライト照明装置。
【請求項２】
請求の範囲１に記載のバックライト照明装置において、前記けい光ランプが少なくとも、第１のアーム部分と、第２のアーム部分とを具え、これらアーム部分が互いに並置関係で配置されているとともに連結部分を介して相互連結され、前記第１のアーム部分は第１の副反射器内に収容され、前記第２のアーム部分は第２の副反射器内に収容されていることを特徴とするバックライト照明装置。
【請求項３】
請求の範囲１又は２に記載のバックライト照明装置において、けい光ランプの少なくとも２つが直列に接続されていることを特徴とするバックライト照明装置。
【請求項４】
請求の範囲３に記載のバックライト照明装置において、けい光ランプが１つ置きに直列に接続されていることを特徴とするバックライト照明装置。
【請求項５】
請求の範囲３又は４に記載のバックライト照明装置において、けい光ランプが群毎に直列に接続されていることを特徴とするバックライト照明装置。
【請求項６】
請求の範囲１〜５のいずれか一項に記載のバックライト照明装置において、けい光ランプが少なくとも２群の電源に接続され、副反射器の各々が各電源群のランプの一部分を収容していることを特徴とするバックライト照明装置。
【請求項７】
請求の範囲６に記載のバックライト照明装置において、このバックライト照明装置に、電源群の１つをスイッチ・オフしうるスイッチが設けられていることを特徴とするバックライト照明装置。
【請求項８】
請求の範囲１〜７のいずれか一項に記載のバックライト照明装置において、前記複数の副反射器のうち少なくとも一部の副反射器に４つのランプの一部分が設けられていることを特徴とするバックライト照明装置。
【請求項９】
請求の範囲１〜８のいずれか一項に記載のバックライト照明装置において、副反射器を順次に配置し、最初の副反射器と最後の副反射器とを除いた副反射器に少なくとも２つのランプの一部分が設けられていることを特徴とするバックライト照明装置。
【請求項１０】
請求の範囲９に記載のバックライト照明装置において、最初の副反射器と最後の副反射器との壁部に反射層が設けられていることを特徴とするバックライト照明装置。
【請求項１１】
請求の範囲１〜１０のいずれか一項に記載のバックライト照明装置において、副反射器が鏡面反射器を有していることを特徴とするバックライト照明装置。
【請求項１２】
請求の範囲１〜１１のいずれか一項に記載のバックライト照明装置を具えることを特徴とする液晶ディスプレイ装置。
【発明の詳細な説明】
本発明は、複数のけい光ランプを具えるとともに、複数の副反射器を有する反射器を具える、ディスプレイ装置用のバックライト照明装置に関するものである。
本発明は又、バックライト照明装置を具える液晶ディスプレイ装置にも関するものである。
バックライト照明装置は、フラットパネル型ディスプレイ装置、特に液晶ディスプレイ装置（ＬＣＤ装置）における光源として用いられる。
けい光ランプはフラット型ディスプレイ装置における光源として用いるのに極めて適している。その理由は、けい光ランプの光出力が高く、放出光のスペクトル特性を簡単に適合せしめることができる為である。このようなディスプレイ装置では、ディスプレイ装置の後側に配置される照明装置に、一般に、互いに平行関係で配置される細長状のけい光ランプが設けられている。或いはまた、Ｕ字状のけい光ランプ又は曲がりくねった形状のけい光ランプを用いることができる。
頭書に記載した種類のバックライト照明装置は、英国特許公開第２２０７４９６号明細書に開示されている。この英国特許公開明細書には、液晶ディスプレイ（ＬＣＤ）装置用の光源として用いられるバックライト照明装置が説明されており、このバックライト照明装置は液晶ディスプレイ装置の後側に、以下に説明するように交互に配置された複数のＵ字状けい光ランプを有している。液晶ディスプレイ装置側とは反対側に面するバックライト照明装置の側には、複数個の反射器を含む反射器或いは副反射器のアセンブリが設けられている。（副）反射器の形状は一般に凹面状をしている。この既知のバックライト照明装置では、１つのＵ字状けい光ランプのアーム部分の１つが隣接の１つのランプ又は複数のランプのアーム部分間にこれらと平行になるように挿入されている。
一般には、バックライト照明装置における光源がディスプレイ装置の能動部分を均一に照射するようにする必要があることが望ましい。
既知のバックライト照明装置には、（Ｕ字状）けい光ランプの１つが弱い光又は異なるスペクトル特性の光を放出するか、或いはけい光ランプの１つが切れたりする場合に、当該ランプの位置で光分布が局所的に不均一になるという欠点がある。
本発明の目的は、上述した欠点を低減又は回避したバックライト照明装置を提供せんとするにある。
この目的のために、本発明によるバックライト照明装置は、前記複数の副反射器のうち少なくとも一部の副反射器に少なくとも２つのけい光ランプの一部分を設け、前記複数のけい光ランプのうち少なくとも一部のけい光ランプが少なくとも２つの副反射器内に位置していることを特徴とする。
本発明は、けい光ランプの一部分を２つ以上の副反射器内に収容し、これら副反射器に少なくとも２つのけい光ランプの一部分を設けることにより、１つのけい光ランプの光放出量の（瞬時的な）減少、或いは（例えば２つのけい光ランプが互いに異なる色特性を有する場合）１つのけい光ランプが他のけい光ランプと異なるスペクトル特性の光を放出するという事実、或いは１つのけい光ランプが切れたりするという事実により生ぜしめられる悪影響が低減され、光分布の変化がバックライト照明装置の種々の副反射器に亘って分布される（広げられる）という認識を基に成したものである。この光分布の変化が広げられる結果、光分布の不均一性がバックライト照明装置の比較的大きな面積に亘って広げられ（平均化され）、この不均一性は他のランプ（の一部分）が存在するために比較的見えにくくなる。
既知の照明装置では、１つのけい光ランプが他のけい光ランプと異なる状態になることによる影響は当該１つのけい光ランプを収容する副反射器に限定される為、バックライト照明装置の不均一性が目立つようになる。
本発明によるバックライト照明装置の例では、前記けい光ランプが少なくとも、第１のアーム部分と、第２のアーム部分とを具え、これらアーム部分が互いに並置関係で配置されているとともに連結部分を介して相互連結され、前記第１のアーム部分は第１の副反射器内に収容され、前記第２のアーム部分は第２の副反射器内に収容されていることを特徴とする。
順次に並置させて延在させたアーム部分（これらアーム部分は一般に互いに少なくともほぼ平行である）を有し、これらアーム部分を連結部分を介して相互連結しているけい光ランプを用いることにより、１つのけい光ランプの第１のアーム部分が１つの副反射器内に設けられ、当該１つのけい光ランプの第２のアーム部分が他の（隣接の）副反射器の１つ内に設けられるようになる。その結果、順次に並置して延在している副反射器の場合、バックライト照明装置におけるけい光ランプのコンパクトで効果的な分布が得られ、バックライト照明装置の出力信号の均一性が改善される。連結部分を介して相互連結された２つの少なくともほぼ平行なアーム部分を有する（けい光）ランプはＵ字状又はＶ字状ランプと称される。互いに並置して延在し、複数の連結部分を介して相互連結されている複数のアーム部分を有するけい光ランプであって、これら連結部分も互いに平行に延在している当該けい光ランプを、曲がりくねった形状のけい光ランプと称する。
本発明によるバックライト照明装置の例では、前記けい光ランプの前記一部分が前記長手方向でスペクトル特性の変化を呈し、ある副反射器内の第１のけい光ランプの一部分のスペクトル特性が、当該ある副反射器内の第２のけい光ランプの一部分のスペクトル特性の変化に対して逆方向で変化していることを特徴とする。
けい光ランプのスペクトル特性、例えば色点はこれらけい光ランプの長手方向で均一にならない。けい光ランプのスペクトル特性の変化は一般に、けい光ランプの製造中のひろがりにより生ぜしめられるものであり、この変化は例えばランプにけい光体混合物を充填する際に生じる。（三元）けい光体混合物の成分の物理的特性は互いに異なっている為、ある成分が他の成分よりも急速にランプに被着する。一般に、ランプにはその一方の端部からけい光体混合物を充填する為、ランプのスペクトル特性はランプの長手方向で変化し、その結果、例えば、けい光ランプの長さ全体に亘って色点が相違している。
本発明によれば、副反射器中へのランプの配置は、ランプ間のスペクトル差が平均化されるすなわち同一化されるように、ランプ（の一部分）が１つの副反射器内に相対的に配置されることを考慮して行う必要がある。ランプ（の一部分）を上述したような向きにし、１つのランプ（ランプの１つの部分）をこれとはスペクトル特性が反対方向に変化する他の１つのランプ（ランプの１つの部分）に接近させて配置することにより、前者のランプのスペクトルの変化が補償される。一般には、これらランプ（の隣接部分）を、これらランプ（の隣接部分）の合計のスペクトル特性が個々のランプ（の一部分）のスペクトル特性よりも少なく変化するように互いに配置する。
本発明によるバックライト照明装置の一例では、けい光ランプのすべての部分は、１つの副反射器内で並置して延在する２つのけい光ランプの２つの一部分のスペクトル特性が互いに反対方向に変化するように配置されていることを特徴とする。
けい光ランプが細長状又はＵ字状であり、第１のけい光ランプの一部分（アーム部分）と第２のけい光ランプの一部分（アーム部分）とが１つの副反射器内に並置されている場合には、第１のけい光ランプの前記の一部分（アーム部分）におけるスペクトル変化が、これとは反対方向に変化している第２のけい光ランプの前記の一部分（アーム部分）におけるスペクトル変化により補償されるように、所定のスペクトル変化を有する（少なくとも２つの）けい光ランプの一部分（アーム部分）を副反射器内に常に交互に配置することにより、これらけい光ランプの一部分（アーム部分）の各々におけるスペクトル特性の（少なくとも殆ど再現可能な）変化を有効に補償することができる。隣接する副反射器内には、これら副反射器内においてもけい光ランプの一部分（アーム部分）のスペクトル変化が互いに補償されるように、（少なくとも２つの）細長状又はＵ字状けい光ランプの対応する一部分（アーム部分）を配置する。或いはまた、第１又は第２のけい光ランプの対応する一部分（アーム部分）のスペクトル特性を補償する他のけい光ランプの一部分（アーム部分）を以って第３のけい光ランプの一部分を構成することができる。本発明によるバックライト照明装置におけるすべてのけい光ランプ（の一部分）を上述したような向きにすることにより、このバックライト照明装置の光出力のスペクトル特性の変化を有効に低減させるか無くすことができる。本発明によるバックライト照明装置の一例では、けい光ランプの少なくとも２つを直列に接続する。
けい光ランプ用の（交流）電源は（正確には）同じ出力特性を有しない為、２つの異なる電源に接続される２つのけい光ランプが互いに異なる光度（又は輝度）を有し、これによりディスプレイ装置の能動部分の光出力を不均一にするおそれがある。少なくとも２つのけい光ランプを直列に接続することにより、２つの電源間のこの相違による影響が低減され、バックライト照明装置の光分布の均一性が更に改善される。
本発明によるバックライト照明装置の好適例では、けい光ランプを１つ置きに直列に接続することを特徴とする。
本明細書で、“けい光ランプを１つ置きに直列に接続する”とは、２つのけい光ランプの２つの一部分（アーム部分）であって、１つの副反射器内に並置されているこれら一部分（アーム部分）が同じ電源に接続されないことを意味するものである。ランプを１つ置きに直列に接続することにより、他とはわずかに異なる電圧特性を有する電源が（少なくとも）１つの（けい光）ランプの光度（又は輝度）を変化させるという影響が１つの副反射器内で並置されているランプの２つの（アーム）部分に亘って分布されるということが無くなる。このことは、ランプを群毎に（１つ置きに）直列に接続することにより、或いはすべてのランプを１つ置きに直列に接続することにより達成しうる。２つ以上の電源を用いる場合で、これらの電源を適切にランプに接続すれば、電源の１つが故障することにより光分布に及ぼす影響を最小にすることができる。
本発明の上述した特徴及びその他の特徴は以下の実施例に関する説明から明らかとなるであろう。
図面は線図的なものであり、実際のものに正比例させて描いていない。これらの図で可能な限り同じ部分に同じ符号を付した。
図１Ａは、けい光ランプ４，５を設けた本発明によるバックライト照明装置の一実施例を示す線図的平面図であり、図１Ｂは、図１Ａに示すバックライト照明装置１０の線図的断面図であり、このバックライト照明装置には更に、壁部６により支持された光散乱用カバー７（拡散器）が設けられている。図１に示す例では、バックライト照明装置１０は第１群の副反射器２，２’，２"，２"'と、第２群の副反射器３，３’，３"，３"'とを有し、副反射器２，３のこれらの群は並べて配置されている。例えば、ディスプレイ装置を全体的に照明する必要がない場合（例えば異なる種類の情報を表示する場合）、このような照明装置が用いられる。
（副）反射器は、バックライト照明装置で発生される直接光及び間接光をディスプレイ装置の方向に向ける鏡面反射器を有する。反射器は一般に凹面状をしており、これらには例えば、ディスプレイ装置側とは反対側の方向でランプから放出される光を（拡散）反射させるつや消しの白色被膜が設けられている。本明細書で“凹面状（副）反射器”とは、ディスプレイ装置側とは反対側に面する後面壁と（斜めの）縦方向側壁とを有する、或いは後面壁と完全に又は部分的にくぼみの形状をした側壁とを有する室（副反射器）内にランプが収容されるということを意味するように解釈する必要がある。
（直線状の）けい光ランプ４，５の第１部分は必ず副反射器２の第１群内に収容され、これらけい光ランプ４，５の第２部分は必ず副反射器３の第２群内に収容される。更に、各副反射器２，３は異なるけい光ランプ４，５の計２つの部分を収容する。ランプ４，５を副反射器２，３に亘って分布させるこの方法によれば、（少なくとも）２つのランプ間での色点（スペクトル特性）や光度の差が１つの副反射器に限定されず、これら（少なくとも）２つのランプの各々の少なくとも１つの（等価な）部分を収容する各副反射器に亘って分布される（広げられる）。その結果、けい光ランプのわずかな特性差による影響が各副反射器で平均化され、これによりバックライト照明装置１０の均一性を著しく改善する。
更に、図１に示す例では、１つの副反射器におけるランプ４，５（の部分）が同じ電源に接続されないように、これらランプ４，５が１つ起きに直列に接続されている。図１Ａでは、（インバータとも称する）２つの電源８，９が用いられ、けい光ランプの一方の半部４が第１の電源８に直列に接続され、けい光ランプの他方の半部５が第２の電源９に直列に接続されている。その結果、１つのランプが切れた場合、各副反射器の光は５０％低減される。一方の電源がスイッチ・オフされるか故障した場合にも同じ効果が生じる。ランプ４，５は上述したように副反射器２，３に亘って分布されている為、生じる光量はすべての（副）反射器において半分となり、バックライト照明装置の光出力の均一性が確保され、唯一の制限は光度が全体的に低くなるということである。一方の電源をスイッチ・オフさせることにより、光分布の均一性が著しく影響を受けることなくバックライト照明装置の全光出力が半分となる。このスイッチングのオプションは、（例えばバックライト照明装置が自動車や航空機におけるディスプレイ装置のバックライト照明装置として用いられる場合のように）ディスプレイ装置が著しく変化する周囲光条件の下で用いられる為に望ましいことである。
図１の実施例の変形では、ランプを（１つ置きに）一対毎に１つの電源に接続することもできる。この場合、４つの電源が必要となる。更に、ランプを電源の少なくとも２つの群に接続する場合には、電源の１つの群に接続されたランプ（の一部分）は、副反射器の各々が各電源群の１つのランプの一部分を有するように副反射器に亘って分布させることができる。この場合、バックライト照明装置にスイッチ（図１に図示せず）を設け、このスイッチにより１つの電源群をスイッチ・オフさせ、この電源（群）の１つのスイッチ・オフにより光分布の均一性に著しい影響を与えることなくバックライト照明装置の全光出力を低減させるようにするのが好ましい。このようなスイッチ又は他の種類の光調整器（例えば（電子式）調光装置）は、例えば周囲光が著しく変化する状態の下でディスプレイ装置の光度を調整する極めて望ましい手段を構成する。
図２Ａは、Ｕ字状けい光ランプ１４，１５を設けた本発明によるバックライト照明装置の他の一実施例を示す線図的斜視図であり、図２Ｂは、壁部１６により支持した光散乱用カバー１７を更に設けた図２Ａに示すバックライト照明装置２０を示す線図的断面図である。図２Ａでは、Ｕ字状けい光ランプ１４，１５の各アーム部分を１４’，１４"及び１４"'と１５’，１５"及び１５"'とでそれぞれ示してある。図２に示す例では、大多数の副反射器１３，１３’，１３"が必ず異なる２つのＵ字状ランプの２つのアーム部分を有し、例えば１４’及び面１５’を付したアーム部分が副反射器１３’内に位置し、１４"及び１５"を付したアーム部分が副反射器１３や副反射器１３"内に位置する。本例では、けい光ランプの１つのアーム部分１４"'，１５"'のみをそれぞれ収容する２つの“半”副反射器１２，１２’をバックライト照明装置２０の両端縁に設けてある。“半”副反射器１２，１２’の（垂直）壁部１６に反射係数の高い反射層１６’を設ければ、光出力及び光分布の均一性が更に改善される。或いはまた、副反射器及びランプを異なるように配置することにより、バックライト照明装置のこれらの“半”副反射器を設けないようにすることができる。図２Ａに示す例では、少なくともほぼ平行なアーム部分を互いに連結するＵ字状けい光ランプ１４，１５の連結部分はバックライト照明装置２０の外側に位置させる。変形例では、このバックライト照明装置の光出力を最大にするために、これらの連結部分を２つの副反射器間の遷移部内に入れ、従ってこれら連結部がバックライト照明装置の全体の一部を構成するようにする。
ランプ１４，１５を副反射器１３に亘って分布させる上述した方法によれば、２つのランプ間の色点（スペクトル特性）や光度の差を、これら２つのランプの各々の（等価な）一部分を収容する各副反射器において分布させる（広げる）ことができる。その結果、バックライト照明装置の均一性が可成り改善される。
図２に示す例では更に、１つの副反射器１３内のランプ１４，１５（の一部分）が同じ電源に接続されないように、これらランプ１４，１５を１つ置きに直列に接続している。図２Ｂでは、２つの電源１８，１９を用い、２つのＵ字状ランプ１４を第１の電源１８に直列に接続し、他の２つのＵ字状ランプ１５を第２の電源１９に直列に接続している。これらランプを１つ置きに接続することにより、１つのランプが切れた場合に、各副反射器の光が５０％低減するようになる。ランプ１４，１５は上述したように副反射器１３に亘って分布されている為、生じる光量は、２つのアーム部分を有する（副）反射器において半分となり、バックライト照明装置の光出力の均一性が可成り確保される。
図３Ａは、曲がりくねった形状のけい光ランプ２４，２５を設けた本発明によるバックライト照明装置の他の一実施例を示す線図的平面図であり、図３Ｂは、壁部２６により支持された光散乱用カバー２７が更に設けられた図３Ａに示すバックライト照明装置３０の線図的断面図である。曲がりくねった形状のけい光ランプ２４，２５は一般に、図３Ａに線図的に示すように（複数の）Ｍ字状屈曲部を有する、ハーメチック封止された管状ランプ容器を具えている。この曲がりくねった形状のランプは、連結部分を介して相互連結された複数の（少なくともほぼ平行な）アーム部分より成っている。図３に示す例では、バックライト照明装置３０は並んで配置した副反射器２２，２２’，２２"等の群を有する。曲がりくねった形状のけい光ランプ２４，２５の順次のアーム部分が順次の副反射器２２内に収容されている。又、各副反射器２２は曲がりくねった形状の各けい光ランプ２４，２５の２つのアーム部分を収容している。ランプ２４，２５のアーム部分を副反射器２２に亘ってこのように分布させている為、曲がりくねった２つのランプ間の色点（スペクトル特性）や光度の差は１つの副反射器に限定されるのではなく、曲がりくねった形状の各ランプの一部を収容する各副反射器に分布される（広げられる）。その結果、バックライト照明装置３０の均一性が可成り改善される。壁部２６の垂直部分に反射係数が高い反射層２６’を設ければ、光出力及び光分布の均一性が更に改善される。
図３に示す例では、ランプ２４，２５が電圧源２９，２８にそれぞれ個別に接続されている。これら電圧源の一方がスイッチ・オフされると、光分布の均一性に著しい影響を及ぼすことなくバックライト照明装置の全光出力が５０％低減される。
図４Ａは、１つの副反射器当たり、けい光ランプの、２つ以上のアーム部分を有する本発明によるバックライト照明装置の他の一実施例を示す線図的平面図であり、図４Ｂは、壁部３６により支持された光散乱用カバー３７を更に具える図４Ａに示すバックライト照明装置に相当するバックライト照明装置４０の断面図である。図４に示す例では、大多数の副反射器３３，３３’，３３"が必ず４つの異なるＵ字状ランプ３４，３４’，３４"，３４"'；３５，３５’，３５"，３５"'の４つのアーム部分を有する。本例では、バックライト照明装置４０の双方の縁部に２つの“半”副反射器３２，３２’を設け、これら“半”副反射器の各々に２つのけい光ランプの２つのみのアーム部分を収容する。これら“半”副反射器３２，３２"の（垂直）壁部に反射係数の高い反射層３６’を設ける場合には、光出力及び光分布の均一性が更に改善される。
ランプ３４，３５を副反射器３２，３３に亘って上述したように分布させることにより、２つのランプ間での色点（スペクトル特性）や光度の差が１つの副反射器に限定されずに、大多数の副反射器３３，３３’，３３"に亘って分布される（広げられる）。更に、大多数の副反射器が４つの異なるけい光ランプの４つのアーム部分を有する為、バックライト照明装置の均一性が可成り改善される。
光分布の均一性の更なる改善は、１つの副反射器３３におけるランプ３４，３５の隣接するアーム部分が同じ電源に接続されないようにこれらランプ３４，３５をそれぞれ１つ置きに直列に接続する図４に示す実施例で達成される。図４に示す例では、４つの電源３８，３８’，３９，３９’を用い、２つのＵ字状ランプ３４，３４’が第１の電源３８に直列に接続され、２つのＵ字状ランプ３５，３５’が第２の電源３９に直列に接続され、２つのＵ字状ランプ３４"，３４"'が第３の電源３８’に直列に接続され、２つのＵ字状ランプ３５"，３５"'が第４の電源３９’に直列に接続されている。
図５は、液晶ディスプレイ装置５１とバックライト照明装置５０とのアセンブリの線図的分解斜視図である。図５に示す例では、液晶ディスプレイ装置５１は、装着手段（図５に図示せず）と必要に応じ支持部材５４とが設けられたハウジング５２内に収容されている。更に、液晶ディスプレイ装置５１とバックライト照明装置５０との間にフィルタ５３を配置することができる。このバックライト照明装置５０には、組立てられた形態で壁部４６により支持されている光散乱用カバー４７（拡散器）が設けられている。図５に示す例では、大多数の副反射器４３，４３’，４３"，４３"'が必ず２つの異なるＵ字状けい光ランプ４４，４４’，４４"；４５，４５’の２つのアーム部分を有している。本例では、バックライト照明装置５０の上側と下側とに２つの“半”副反射器４２，４２’が設けられ、これら“半”副反射器の各々がけい光ランプ４４，４４"の、１つのみのアーム部分を収容している。Ｕ字状けい光ランプ４４，４５を電源に接続する方法は図５に示していない。図５に示すバックライト照明装置５０の光出力を最大にするためには、Ｕ字状けい光ランプ４４，４５の連結部分を２つの副反射器間の遷移部内に位置させ、従ってこれら連結部分がバックライト照明装置の全体の一部分を構成するようにする。
ランプ４４，４５を副反射器４３に亘って上述したように分布させることにより、２つのランプ間の色点（スペクトル特性）や光度の差が、少なくとも２つのランプの（等価な）一部分を収容する色副反射器内に分布される（広げられる）。その結果、バックライト照明装置の均一性が可成り改善される。
本発明の範囲内で種々の変形が当業者にとって可能であること明らかである。
本発明は一般に、複数のけい光ランプ及び複数の副反射器を有するバックライト照明装置に関するものである。このバックライト照明装置は、大多数の副反射器に１個よりも多いランプの一部分を設けることを特徴としている。ランプは、Ｕ字状にし、１つ置きに直列に接続するのが好ましい。このバックライト照明装置は液晶ディスプレイ装置に用いて均一な光分布を達成する。
【図面の簡単な説明】
図１Ａは、けい光ランプを設けた本発明によるバックライト照明装置の一実施例を示す平面図であり、
図１Ｂは、図１ＡのＩＢ−ＩＢ線上を断面としたバックライト照明装置の断面図であり、
図２Ａは、Ｕ字状けい光ランプを設けた本発明によるバックライト照明装置の一実施例を示す斜視図であり、
図２Ｂは、図２Ａに示すバックライト照明装置の断面図であり、
図３Ａは、曲がりくねった形状のけい光ランプを設けた本発明によるバックライト照明装置の一実施例であり、
図３Ｂは、図３ＡのIII Ｂ−III Ｂ線上を断面としたバックライト照明装置の断面図であり、
図４Ａは、１つの副反射器当たりけい光ランプの２つ以上のアーム部分を有する本発明によるバックライト照明装置の一実施例の断面図であり、
図４Ｂは、図４ＡのIVＢ−IVＢ線上を断面とするバックライト照明装置の断面図であり、
図５は、液晶ディスプレイ装置とバックライト照明装置とのアセンブリを示す分解斜視図である。
【図１】
0004015200.tif 000002
【図２】
0004015200.tif 000003
【図３】
0004015200.tif 000004
【図４】
0004015200.tif 000005
【図５】
0004015200.tif 000006